(57)【要約】【課題】落雪誘導カバーの取付施工が容易で、落雪の雨樋への浸入を確実に阻止して、雨樋の変形や破損を確実に防止できるようにした屋根を提供する。【解決手段】雨樋７ａの開口上面を被覆して屋根材上面からの落雪を雨樋に進入させずに下方に誘導する落雪誘導カバー１４を、屋根材の上面を流下する雨水が雨樋に流入し得る隙間を残して取り付けた。【選択図】図２
2008075324.tif 000002
【特許請求の範囲】
【請求項１】
雨樋の開口上面を被覆して屋根材上面から滑落する雪を前記雨樋に進入させずに下方に誘導する落雪誘導カバーを、前記屋根材上面を流下する雨水が前記雨樋に流入し得る隙間を残して取り付けた屋根において、
前記落雪誘導カバーは、その幅方向の一端部に雨樋の屋根材と反対側の立ち上がり壁の上端部と係合する第１係合部を、その幅方向の他端部に前記屋根材の上面に当接する端縁を、前記他端部よりも前記一端部側に寄った位置に前記前枠に設けてある屋根材押さえ部に係合する第２係合部を、前記第１係合部と第２係合部の間に上方に開口する凹溝を、それぞれ有し、隣接する垂木カバーの下端部同士の間に前記垂木カバーとの間に屋根材上面を流下する雨水が直接前記雨樋に及び前記凹溝を介して前記雨樋に流入する隙間を開けて前記前枠に装着されるものであることを特徴とする屋根。
【請求項２】
落雪誘導カバーの第１係合部は当接部と係止部とを一体に有し、前記落雪誘導カバーの第２係合部はその落雪誘導カバーの下面に設けられたＬ型屈曲縁からなり、前記当接部を雨樋の屋根材と反対側の立ち上がり壁の上端部に当接して、落雪誘導カバーを雨樋の屋根材側の立ち上がり壁の方向に回転して落雪誘導カバーの幅方向他端部の端縁を屋根材に密着させるとともに、前記落雪誘導カバーを雨樋の屋根材と反対方向に摺動して前記第１係合部の係止部を前記雨樋の屋根材と反対側の立ち上がり壁の上端部において内側に屈曲された係止縁に係止させ、かつ、前記Ｌ型屈曲縁を屋根材押さえ部に係合させて、落雪誘導カバーを固定したことを特徴とする請求項１に記載の屋根。
【請求項３】
落雪誘導カバーの凹溝の底部にねじをねじ込み、そのねじの軸を雨樋の屋根材側の立ち上がり壁に当接させて、第１係合部及び第２係合部の前枠との係合の解除を阻止したことを特徴とする請求項１又は２に記載の屋根。
【発明の詳細な説明】
【技術分野】
【０００１】
本発明は、雨樋を有する屋根、とくに雨樋に落雪誘導カバーを取り付けたものに関する。
【背景技術】
【０００２】
テラス、バルコニー、カーポートなどに設置される屋根には、屋根材の下端部に沿って雨樋が設置される。雨樋は合成樹脂製のものと、金属製のものがあり、金属製のものには前枠に一体に形成されたものがある。
【０００３】
通常、雨樋は上方に開口されている。そのため、降雪のある寒冷地では、屋根に降り積もった雪が屋根材上面を滑落する際に、大量の雪が雨樋の中に入り込んだほかに、上方に積み重なって雨樋の上側に溜まり、雪の荷重で雨樋が変形したり、雪の凍結膨張により雨樋が破損するなどの問題があった。
【０００４】
この屋根への積雪による雨樋の変形や破損の防止のために、滑落する雪を雨樋の外方に誘導する落雪案内カバーを屋根の雨樋設置部近傍の傾斜面に設けることが特許文献１に開示された。
【特許文献１】特開平８−３０２９３７号公報
【発明の開示】
【発明が解決しようとする課題】
【０００５】
しかしながら、上記公知の落雪案内カバーは、横長の長尺部材であり、雨樋から上方に離れた位置において垂木カバーにねじ止めして取り付けられるものである。そのため、取付の際の位置決めを正確に行うことが困難であり、施工に手間が掛かり、水平を正確にとることが容易でないため外観が損なわれることがある。また、上記公知の落雪案内カバーは、屋根材から雨樋の中央上方まで張り出すように湾曲されて落雪を案内しようとするものであるため、積雪が含水率の高いものである場合は、雪がその落雪案内カバーの表面に粘着しながら落ちるので、雨樋に入り込んでしまい、雨樋の変形や破損の防止効果が必ずしも確実に発揮されない問題があった。
【０００６】
本発明は、上記問題を解消するためになされたものである。すなわち、落雪誘導カバーの正確な位置への取付施工が容易で、かつ、落雪の雨樋への進入を確実に阻止して、雨樋の変形や破損を確実に防止できるようにした屋根を提供することを目的としている。
【課題を解決するための手段】
【０００７】
上記目的を達成するため、本発明に係る屋根は、雨樋の開口上面を被覆して屋根材上面から滑落する雪を前記雨樋に進入させずに下方に誘導する落雪誘導カバーを、前記屋根材上面を流下する雨水が前記雨樋に流入し得る隙間を残して取り付けたものにおいて、上記落雪誘導カバーは、その幅方向の一端部に雨樋の屋根材と反対側の立ち上がり壁の上端部と係合する第１係合部を、その幅方向の他端部に前記屋根材の上面に当接する端縁を、前記他端部よりも前記一端部側に寄った位置に前記前枠に設けてある屋根材押さえ部に係合する第２係合部を、前記第１係合部と第２係合部の間に上方に開口する凹溝をそれぞれ有し、隣接する垂木カバーの下端部同士の間に前記垂木カバーとの間に屋根材上面を流下する雨水が直接前記雨樋に及び前記凹溝を介して前記雨樋に流入する隙間を開けて前記前枠に装着されるものであることを特徴としている（請求項１）。
上記構成により、降雨時は、屋根に降った雨が前記隙間から雨樋に流入し、排水される。降雪時は、屋根材上面を滑落する雪は、落雪誘導カバーにより雨樋の中に入り込むことを確実に阻止され、雨樋の開口上面を越えて外側に誘導され落下する。
また、落雪誘導カバーを取り付ける時は、一端部の第１係合部を雨樋の屋根材と反対側の立ち上がり壁の上端部と係合させ、他端部の端縁を屋根材の上面に当接させた状態で第２係合部を屋根材押さえ部に係合させることにより、正確な位置に容易に取り付けることができる。屋根に降った雨は隣接する垂木カバーの下端部同士の間において直接雨樋に流入し、又は一旦凹溝に流入した後、その凹溝から雨樋に流入する。従って、雨水の排水性は確保される。
【０００８】
また、落雪誘導カバーの第１係合部は当接部と係止部とを一体に有し、落雪誘導カバーの第２係合部はその落雪誘導カバーの下面に設けられたＬ型屈曲縁からなり、前記当接部を雨樋の屋根材と反対側の立ち上がり壁の上端部に当接して、落雪誘導カバーを雨樋の屋根材側の立ち上がり壁の方向に回転して落雪誘導カバーの幅方向他端部の端縁を屋根材に密着させるとともに、前記落雪誘導カバーを雨樋の屋根材と反対側の立ち上がり壁方向に摺動して前記第１係合部の係止部を前記雨樋の屋根材と反対側の立ち上がり壁の上端部において内側に屈曲された係止縁に係止させ、かつ、前記Ｌ型屈曲縁を屋根材押さえ部に係合させて、落雪誘導カバーを固定することが望ましい（請求項２）。
上記構成により、第１係合部と雨樋の屋根材と反対側の立ち上がり壁の上端部との当接・回転、端縁の屋根材への当接、落雪誘導カバーの屋根材と反対方向の摺動による第２係合部と屋根材押さえ部との係合により、落雪誘導カバーの正確な位置への取付が一層簡単になり、不要な脱落も防止できる。
【０００９】
さらに、落雪誘導カバーの凹溝の底部にねじをねじ込み、そのねじの軸を雨樋の屋根材側の立ち上がり壁に当接させて、第１係合部及び第２係合部の前枠との係合の解除を阻止することが望ましい（請求項３）。
上記構成により、ねじ込まれたねじは、落雪誘導カバーの屋根材方向への摺動を阻止し、第１係合部と雨樋の立上がり壁上端部との係合及び第２係合部と屋根材押さえ部との係合の解除を許さないので、落雪誘導カバーが脱落することは完全になくなる。
【発明の効果】
【００１０】
請求項１の発明によれば、雨樋の開口上面を被覆して屋根材上面からの落雪を雨樋に進入させずに下方に誘導する落雪誘導カバーを、屋根材上面を流下する雨水が雨樋に流入し得る隙間を残して取り付けるので、第１に、落雪誘導カバーの所定位置への正確な取付けが可能であり、施工が容易である。第２に、落雪誘導カバーは屋根材上面を滑落する雪が雨樋に入り込むことを阻止し、雨樋の開口上面を越えて外側に誘導するので、雨樋がこれに入り込む落雪により変形や損傷されることが防止される。第３に、落雪誘導カバーは、雨樋の屋根材と反対側の立ち上がり壁の上端部と係合する第１係合部と、屋根材の上面に当接する端縁と、中間位置において屋根材押さえ部に係合する第２係合部と、第１係合部と第２係合部の間において上方に開口する凹溝とを有し、隣接する垂木カバーの下端部同士の間に垂木カバーとの間に屋根材上面を流下する雨水が直接雨樋に及び凹溝を介して雨樋に流入する隙間を開けて前枠に装着されるので、落雪誘導カバーの取付け時は、第１係合部を雨樋の屋根材と反対側の立ち上がり壁の上端部と係合させ、端縁を屋根材の上面に当接させた状態で第２係合部を屋根材押さえ部に係合させることにより、正確な位置に容易に取り付けることができるため、施工が一層容易になる。さらに、屋根に降った雨は落雪誘導カバーと垂木の間から直接雨樋に流入し、又は一旦落雪誘導カバーの凹溝に流入した後、その凹溝から雨樋に流入するので、雨水の排水性が確保される。
【００１１】
請求項２の発明によれば、前記第１係合部は当接部と係止部とを一体に有し、前記第２係合部は落雪誘導カバーの下面に設けられたＬ型屈曲縁からなり、前記当接部を雨樋の屋根材と反対側の立ち上がり壁の上端部に当接して、落雪誘導カバーを雨樋の屋根材側の立ち上がり壁の方向に回転して落雪誘導カバーの端縁を屋根材に密着させるとともに、前記落雪誘導カバーを雨樋の屋根材と反対側の立ち上がり壁方向に摺動して第１係合部の係止部を雨樋の屋根材と反対側の立ち上がり壁の上端部において内側に屈曲された係止縁に係止させ、かつ、前記Ｌ型屈曲縁を屋根材押さえ部に係合させることにより、落雪誘導カバーを固定するようにしたので、第１係合部の雨樋の一方の立ち上がり壁の上端部に対する当接・回転、端縁の屋根材への当接、落雪誘導カバーの屋根材と反対方向の摺動による第２係合部と屋根材押さえ部との係合により、落雪誘導カバーの正確な位置への取付が一層簡単になり、落雪誘導カバーの不要な脱落も防止できる。
【００１２】
請求項３の発明によれば、落雪誘導カバーの凹溝の底部にねじ込まれ、軸が雨樋の屋根材側の立ち上がり壁に当接されたねじは、第１係合部及び第２係合部の前枠との係合の解除を阻止するので、落雪誘導カバーが脱落することが完全に防止される。
【発明を実施するための最良の形態】
【００１３】
次に、本発明の実施の形態について図面に基づいて説明する。
図１はアール付き屋根、すなわち、下端の勾配が大きい場合の雨樋付き屋根の一部省略側面図、図２は図１の屋根の雨樋に落雪誘導カバーを取り付けた状態の要部断面図、図３は図２の中の雨樋を一体に有する前枠と落雪誘導カバーのみを抽出した分解断面図、図４は図１の雨樋に対する落雪誘導カバーの取り付け手順を示す工程図、図５は落雪誘導カバーが取り付けられた屋根の下端部の一部の平面図、図６は降雨時の雨の流れを示す図５に対応する平面図、図７は落雪時の雪の流れを示す図２に対応する断面図である。
【００１４】
図１に例示された屋根の基本的構造を説明する。複数本の柱１の上端部に固定具２の下部２ａが嵌合されてビス止めなどにより固定され、各柱の固定具２の円弧状に形成された上部２ｂに桁３が嵌合され、その桁３と固定具２の上部２ｂがボルトナット４により締結されて、桁３が柱の上端部間に架設されている。５は屋根本体であり、建物Ｈに固定される後枠６と、桁３の至近位置に設けられる前枠７と、後枠６及び前枠７の長手方向の所定位置に間隔をもって掛け渡して、ブラケットとビスなどを用いる周知の接続技術により接続された複数本の垂木８とで構成された屋根枠に、後枠６及び前枠７の対向面並びに各垂木の対向面に形成してある溝（図示せず）にパネルなどの屋根材９の周辺を嵌合し、その屋根材を垂木８の上面に固定される垂木カバー１０により固定して構成されている。
【００１５】
そして、その屋根本体５の後枠６を建物Ｈに固定し、各垂木８の下端部を桁３に載せ、その桁３と垂木８をビス１１などで接続してテラス屋根ＴＲ１が構築されている。なお、桁３と垂木８との接続は、垂木の長手方向の任意の位置で行うことができるように構成されている。
【００１６】
前枠７は、図２に詳細に示されているように、所要の強度を備えるための中空部７ａを有し、その中空部の後枠６と反対側に上方に開口する雨樋７ｂが一体に形成されている。その雨樋７ｂの後枠６から遠い側の立ち上がり壁７１（以下、第１立ち上がり壁という。）の上端部には、図３に良く示されているように、内側に屈曲する係止縁７２が設けられている。また、雨樋７ｂの後枠６に近い側の立ち上がり壁７３（以下、第２立ち上がり壁という。）の上端部には、後枠６方向に伸びる屋根材押さえ部７４が形成され、中空部７ａの上面壁７５との間に屋根材９の下端部を挿入する挿入溝７６が形成され、前記上面壁７５の後枠側端部が上方に屈曲され、その屈曲部７７に挿入溝７６に挿入される屋根材９を支持するクッション材１２が嵌着されている。図１、図２の１３は、垂木８と前枠７とを連結するＬ型連結金具である。
【００１７】
図１において上方に開口されている雨樋７ｂには、図２及び図３に示すような、落雪誘導カバー１４が、その雨樋の開口面を被覆するように取り付けられる。落雪誘導カバー１４は、幅方向一端部、すなわち、後枠６から遠い側の端部に、ほぼ下方開口Ｃ字形の第１係合部１４１を有する。この第１係合部１４１は、当接部１４１ａと係止部１４１ｂを有し、これに雨樋の第１立ち上がり壁７１の上端部をわずかに緩やかに嵌合し、その上端部を中心として、落雪誘導カバー１４の他端部、すなわち後枠６に近い側の端部が前枠７の屋根材押さえ部７４に近接する方向と、これから離間する方向に回動することができる。
【００１８】
また、落雪誘導カバー１４は、幅方向他端部、すなわち、後枠６に近い側の端部に、屋根材９の上面に密着するための端縁１４２を有する。そして、第１係合部１４１と端縁１４２の中間部に上方に開口する凹溝１４３が設けられ、その凹溝１４３の底部又はその底部と端縁１４２との間にＬ字形の屈曲縁により構成された下方に開口する第２係合部１４４が形成されている。第１係合部１４１と第２係合部１４４との間の距離は前枠７の第１立ち上がり壁７１の上端部と屋根材押さえ部７４の端部との間の距離とほぼ等しくされている。さらに、落雪誘導カバー１４は、その長さが屋根枠の隣接する垂木カバー１０間の距離よりも数ｃｍ程度短く設定されている。
【００１９】
上記構成の落雪誘導カバー１４は、図４に示されている手順で屋根枠の前枠７に取り付けられる。すなわち、先ず、落雪誘導カバー１４の第１係合部１４１を図４の円Ａに拡大して示されているように、雨樋の第１立ち上がり壁７１の上端部に係止縁７２を含めて嵌合し、その嵌合したまま落雪誘導カバー１４を第１立ち上がり壁７１の上端部を中心として屋根材９側に回転し、端縁１４２をその屋根材９の上面に当接する。次に、第１係合部１４１が第１立ち上がり壁７１の上端部をわずかに緩やかに嵌合されているから、その落雪誘導カバー１４を、端縁１４２及び第２係合部１４４の先端を屋根材９の上面に押し付けながら屋根材の勾配に沿って下方に摺動させて、その第２係合部の溝の中に前枠７の屋根材押さえ部７４の先端を挿入させる。これにより、図２に示されているように、第２係合部１４４が屋根材押さえ部７４に係合すると同時に第１係合部１４１が第１立ち上がり壁７１の上端部の係止縁７２と係合して、落雪誘導カバー１４が前枠７に固定される。
【００２０】
好ましい実施の形態においては、落雪誘導カバー１４が上述のようにして前枠７に固定された後、図２に示めすように、凹溝１４３の底部からねじ１５をねじ込み、その軸部を第２立ち上がり壁７３の上端部に近接させる。これにより、落雪誘導カバー１４は、屋根材９の勾配の上方向への移動、すなわち、第１係合部１４１及び第２係合部１４４がそれぞれ係止縁７２及び屋根材押さえ部７４の先端から外れる方向の移動を阻止されるため、落雪誘導カバー１４が前枠７から外れることが確実に防止される。
【００２１】
上記落雪誘導カバー１４は、図５に示すように、隣接する垂木カバー間距離よりも短く、垂木カバー間の中央に取り付けられる。従って、落雪誘導カバー１４の両端部と各垂木カバーとの間においては、雨樋７ｂの開口面が上方に開放されている。また、落雪誘導カバー１４の凹溝１４３の両端部がその雨樋７ｂに連通している。そのため、図６に示すように、屋根上面に降った雨Ｒは、一部は屋根材上面から直接に雨樋７ｂに、残部は屋根材上面から落雪誘導カバー１４の凹溝１４を経て雨樋７ｂに流入する。
【００２２】
雨樋７ｂに流入した雨水は、図１に例示するように、その雨樋に取り付けてあるドレン１６、これに接続された横樋１７並びにその横樋に接続されて、柱１に添設された縦樋１８を経て地上Ｇに排水される。
【００２３】
また、上記落雪誘導カバー１４が取り付けられた屋根に降った雪が屋根材上面を滑落するときは、図７に示すように、雨樋７ｂの上面に到達した雪は、落雪誘導カバー１４が雨樋の開口面を被覆しているため、雨樋に入ることを阻止されるとともに、図７に太線で示されているように、落雪誘導カバー１４を越えるように誘導され、下方に円滑に落下する。従って、後続の落雪も雨樋に溜まる雪により阻止されることなく、滑落してしまう。そのため、合成樹脂やアルミニウムなどの強度が比較的小さい薄板で成形される雨樋が、これに入り込む雪によって変形したり損傷することが確実に防止される。
【００２４】
図８は、屋根の勾配が小さな屋根ＴＲ２の一例を示す。図９は、このような屋根の雨樋７ｂと、その雨樋に取り付けられる落雪誘導カバー１４の構造を示す。勾配の違いに応じた形状の相違があるほかは、基本的構造は、上述した例と同一であるので、対応する部材に同じ符号を付すに止め、詳細な説明は省略する。
【図面の簡単な説明】
【００２５】
【図１】下端の勾配が大きい場合の雨樋付き屋根の一部省略側面図。
【図２】図１の屋根の雨樋に落雪誘導カバーを取り付けた状態の要部断面図。
【図３】図２の中の雨樋を一体に有する前枠と落雪誘導カバーのみを抽出した分解断面図。
【図４】図１の雨樋に対する落雪誘導カバーの取り付け手順を示す工程図。
【図５】落雪誘導カバーが取り付けられた屋根の下端部の一部の平面図。
【図６】降雨時の雨の流れを示す図５に対応する平面図。
【図７】落雪時の雪の流れを示す図２に対応する断面図。
【図８】屋根の勾配が小さな屋根の一例を示す一部省略側面図。
【図９】図８の屋根に取り付けられた落雪誘導カバーを示す図２に対応する要部断面図。
【符号の説明】
【００２６】
ＴＲ１，ＴＲ２  屋根
１      柱
３      桁
５      屋根枠
７      前枠
７ａ    中空部
７ｂ    雨樋
７１    第１立ち上がり壁（雨樋の屋根材と反対側の立ち上がり壁）
７２    係止縁
７３    第２立ち上がり壁（雨樋の屋根材側の立上がり壁）
７４    屋根材押さえ部
８      垂木
９      屋根材
１０    垂木カバー
１４    落雪誘導カバー
１４１  第１係合部
１４２  端縁
１４３  凹溝
１４４  第２係合部
【図１】
2008075324.tif 000003
【図２】
2008075324.tif 000004
【図３】
2008075324.tif 000005
【図４】
2008075324.tif 000006
【図５】
2008075324.tif 000007
【図６】
2008075324.tif 000008
【図７】
2008075324.tif 000009
【図８】
2008075324.tif 000010
【図９】
2008075324.tif 000011